(57)【要約】【課題】床下と室内間の相互換気が可能で、その相互換気に十分な開口面積を確保でき、しかも施工後開口部が隠れて見えないために見た目がよく、比較的安価にて供給し得る換気幅木を提供することを課題とする。【解決手段】横長の板材１で構成される幅木であって、板材１の下部に、その前面側に開口する外部開口３を有する通気溝２を設け、通気溝２の後面壁４を、板材１の背面から少し前面側にオフセットさせてその裏側に通気空間５を形成し、後面壁４に、通気空間５に通じる内部開口６を形成して、外部開口３から通気溝２及び内部開口６を通して通気空間５への通気を可能にした。【選択図】図２
2011111854.tif 000002
【特許請求の範囲】
【請求項１】
横長の板材で構成される幅木であって、前記板材の下部に、その前面側に開口する外部開口を有する通気溝を設け、前記通気溝の後面壁を、前記板材の背面から少し前面側にオフセットさせてその裏側に通気空間を形成し、前記後面壁に、前記通気空間に通じる内部開口を形成して、前記外部開口から前記通気溝及び前記内部開口を通して前記通気空間への通気を可能にして成る換気幅木。
【請求項２】
前記内部開口は、前記後面壁の上部に形成される、請求項１に記載の換気幅木。
【請求項３】
前記内部開口は、短尺のものが適宜間隔置きに複数形成されて成る、請求項１又は２に記載の換気幅木。
【請求項４】
前記後面壁はその前面側に、前記外部開口と前記内部開口との間のスムーズな通気を達成させるための滑らかな段部が形成される、請求項１乃至３のいずれかに記載の換気幅木。
【請求項５】
前記板材はその前面下端に、軟質樹脂製隠蔽材が配備される、請求項１乃至４のいずれかに記載の換気幅木。
【請求項６】
前記板材はその前面に、その長さ方向に延びる釘溝が形成される、請求項１乃至５のいずれかに記載の換気幅木。
【請求項７】
前記板材は、その表面に化粧シートが張設される、請求項１乃至６のいずれかに記載の換気幅木。
【請求項８】
前記板材はその裏面に、壁面に対する接着力を高めるための微小凹凸部が形成される、請求項１乃至７のいずれかに記載の換気幅木。
【請求項９】
前記板材は、その前面の全体又は一部に蓄光部が配備される、請求項１乃至８のいずれかに記載の換気幅木。
【発明の詳細な説明】
【技術分野】
【０００１】
本発明は換気幅木、より詳細には、主に基礎断熱の家屋において、室内の壁と床の取合い部分を納めるために壁の最下部に渡される幅木であって、室内と床下空間との間の通気を可能にする換気幅木に関するものである。
【背景技術】
【０００２】
一般家屋において、室内の壁と床の取合い部分を納めるために、壁の最下部に幅木が渡されることが多い。近時、この幅木に、その本来の役割の他に、通気機能、即ち、幅木を介して室内と室外空間とを連通させ、その間の通気を可能にするものが提案されている。
【０００３】
このような幅木を提案するものとしては、特開平９−１７７２９０号公報、特開２００３−２７８３７３号公報、特開２００４−１８３９６８号公報及び特開２００８−８０１３号公報に記載の発明を挙げることができる。これらの発明のうち、特開平９−１７７２９０号公報に記載のものは、幅木をずらして設置することによって通気空間を保持するものであり、他の三者は幅木自体に通気口を設けるものである。
【０００４】
しかし、これらのうち、特開平９−１７７２９０号公報及び特開２００４−１８３９６８号公報に記載の発明の場合は、施工後開口部が露見状態となるために見た目が悪いものとなるという欠点があり、特開２００３−２７８３７３号公報及び特開２００４−１８３９６８号公報に記載の発明の場合は、床下と室内との間の相互自然換気は想定されておらず、また、特開２００８−８０１３号公報に記載の発明の場合は、貫通孔が裏面に抜けるので、裏面側を壁面に密着させることができず、裏面側に通気空間のない個所には使用できないという欠点がある。
【先行技術文献】
【特許文献】
【０００５】
【特許文献１】特開平９−１７７２９０号公報
【特許文献２】特開２００３−２７８３７３号公報
【特許文献３】特開２００４−１８３９６８号公報
【特許文献４】特開２００８−８０１３号公報
【発明の概要】
【発明が解決しようとする課題】
【０００６】
上記従来の換気幅木には上述したような問題があったので、本発明はそのような問題のない、即ち、床下と室内間の相互換気が可能で、その相互換気に十分な開口面積を確保でき、しかも施工後開口部が隠れて見えないために見た目がよく、比較的安価にて供給し得る換気幅木を提供することを課題とする。
【課題を解決するための手段】
【０００７】
上記課題を解決するための請求項１に記載の発明は、横長の板材で構成される幅木であって、前記板材の下部に、その前面側に開口する外部開口を有する通気溝を設け、前記通気溝の後面壁を、前記板材の背面から少し前面側にオフセットさせてその裏側に通気空間を形成し、前記後面壁に、前記通気空間に通じる内部開口を形成して、前記外部開口から前記通気溝及び前記内部開口を通して前記通気空間への通気を可能にして成る換気幅木である。
【０００８】
一実施形態においては、前記内部開口は、前記後面壁の上部に形成され、前記内部開口は、短尺のものが適宜間隔置きに複数形成されたものとされ、また、前記後面壁は、その前面側に、前記外部開口と前記内部開口との間のスムーズな通気を達成させるための滑らかな段部を有するものとされる。
【０００９】
一実施例においては、前記板材は、その前面下端に軟質樹脂製隠蔽材を備えたものとされ、また、前記板材は、その前面にその長さ方向に延びる釘溝を有するものとされ、また、前記板材は、その前面全体に化粧シートが張設されたものとされ、また、前記板材は、その裏面に壁面に対する接着力を高めるための微小凹凸部が形成されたものとされ、更に、前記板材は、その前面の全体又は一部に蓄光部を有するものとされる。
【発明の効果】
【００１０】
本発明は上記のとおりであって、通例、内部開口は通気溝の奥の上部に設けられるために、平時目につかず、通気口の存在によって幅木の外観が損なわれることがなく、また、通気溝の後面壁をオフセットさせてその裏側に通気空間が形成されることで、外部開口から通気溝及び内部開口を通して通気空間への通気が可能となり、施工時に、その通気空間が床面及び／又は壁面に形成される通気路に連通するため、床下と室内との間の良好な相互換気が可能となる効果があり、また、構成簡易なため、比較的安価にて供給し得る効果がある。
【図面の簡単な説明】
【００１１】
【図１】本発明に係る換気幅木の一実施形態の正面図である。
【図２】図１におけるＡ−Ａ線及びＢ−Ｂ線断面図である。
【図３】本発明に係る換気幅木の一実施形態の使用状態図である。
【図４】本発明に係る換気幅木の一実施形態の他の使用状態図である。
【発明を実施するための形態】
【００１２】
以下に、本発明を実施するための好ましい形態について、図面に依拠して説明する。本発明に係る換気幅木は、横長の板材１から成るもので、板材１の下部に、その前面側に開口する外部開口３を有する通気溝２を備え、通気溝２の後面壁４は、板材１の背面から少し前面側にオフセットしていて、その裏側に通気空間５が保持され、後面壁４に、通気空間５に通じる内部開口６が形成される。
【００１３】
通気溝２は、板材１の一端から他端に至る一連のものである。外部開口３は、通例、図示したように一連のものとされるが、短尺の開口を複数適宜間隔置きに形成したものとすることもできる。また、内部開口６は、好ましくは後面壁４の上部に配置され、通例、図示したように、短尺の開口を適宜間隔置きに形成したものとされる。もちろん、一連の横長のものとして形成してもよい。
【００１４】
通気溝２の後面壁４は、板材１の背面から少しオフセットさせて設けられるが、そのオフセットの度合いは、内部開口６を通流する空気が、後面壁４の裏側と本換気幅木が設置される壁面２２との間に形成される通気空間５に滞りなく通流し得る程度のものとされる。
【００１５】
外部開口３は、好ましくは、図２に示されるように、通気溝２の下部に位置するように形成される。外部開口３をこのように通気溝２の下部に配置することとすれば、通気溝２を大きく形成しても、通常斜め上方からしか見ることのない幅木において、通気溝２及び内部開口６が目立って目に入ることはなくなる。そして、通気溝２を十分に大きく形成できるために、淀みない通気が可能となる。        
【００１６】
また、外部開口３から、通気溝２及び内部開口６を経て通気空間５へと抜ける空気の流れをスムーズにするために、後面壁４の内面に、滑らかな曲面部７を形成することが好ましい。
【００１７】
板材１は、ＡＢＳ等の樹脂製（タルク、木片等を混入することもある）で、通例、押出成形により横長に形成される。その成形に際しては、軽量化及び材料節約のために、適宜肉抜きする。最下端の肉抜き部は通気溝２となるもので、内部開口６は、一旦押出成形して製造した板材１の後面壁４の裏側から、事後に適宜手段で部分的に切除して形成することができる。また、外部開口３は、一連のものとする場合は押出成形時に、板材１の一端から他端にかけて、通気溝２と共に形成することができる。
【００１８】
好ましくは、板材１の前面上部に釘打ちの便を図るための釘打ち溝９が形成され、板材１の前面全体に木目調等の化粧シート１０が張設され、また、接着剤を介して壁面２２に固定されることになるその裏面に、接着力を高めるための微小凹凸部１１が形成され、更に、板材１の下端部に、柔軟樹脂製の隠蔽部材１２が設置される。
【００１９】
隠蔽部材１２は、図示したような湾曲板であってもよいし、チューブ材であってもよく、施工後に適度に湾曲し、あるいは、潰れた状態となって床面２１に接する。そのように床面２１に接することにより、本幅木と床面２１との間の隙間を閉塞し、ゴミが進入して貯まることを防止する。この隠蔽部材１２は、板材１に後付けすることとしてもよいが、板材１に一体成形することもできる。
【００２０】
更に、板材１の表面の全体又は一部を、例えば、蓄光材を練り込んだ樹脂にて成形したり、蓄光塗料を塗布したりして蓄光部（図示してない）とすることもある。蓄光部は板材１と別体に成形して、例えば、外部開口３の下縁に沿って配設してもよいが、板材１と一体に成形することもできる。言うまでもなくこの蓄光部は、夜間薄発光して、夜間歩行時における安全性を確保する役目を果たすものである。
【００２１】
本発明に係る換気幅木は、一般の幅木と同様に、板材１の裏面を壁面等の下端部に接着し、また同時に、釘打ち溝９に釘打ちして固定するが、その施工に先立ち、床面２１及び／又は壁面２２に、通気路２３、２４を形成しておく（図３、４参照）。
【００２２】
具体的には、床面２１については、床面（フローリング）２１からその下の構造用合板２５を貫いて床下空間に通じる通気路２３を設ける（図３参照）。また、壁面２２については、柱間に渡される石膏ボードの下部の通気空間に対応する個所を切除し、その切除部から柱間を通って床下空間に通じる通気路２４を設ける（図４参照）。
【００２３】
かくして室内空間が、外部開口３、通気溝２、内部開口６、通気空間５及び通気路２３又は２４を介して床下空間と連通し、相互換気が可能となる。
【００２４】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００２５】
１      板材
２      通気溝
３      外部開口
４      後面壁
５      通気空間
６      内部開口
７      曲面部
９      釘打ち溝
１０      化粧シート
１１      微小凹凸部
１２      隠蔽部材
２１      床面
２２      壁面
２３      通気路
２４      通気路
２５      構造用合板
【図１】
2011111854.tif 000003
【図２】
2011111854.tif 000004
【図３】
2011111854.tif 000005
【図４】
2011111854.tif 000006